(57)【要約】【課題】ＳＡＴＡ規格のＰｏｒｔ  Ｍｕｌｔｉｐｌｉｅｒ機能を利用して、光ディスク装置を含む周辺機器のシステムを構成した場合に、光ディスク装置の電源供給のみを単独で制御可能にして、消費電力を低減する。【解決手段】ホストコンピュータとハイブリッド周辺機器システム内のＳＳＤや光ディスク装置などの周辺機器は、ポート多重化ＩＣにより接続する。システム内には、光ディスク装置への電源供給のＯＮ／ＯＦＦを切り替えるスイッチがあり、ポート多重化ＩＣとスイッチは、ホストコンピュータからＭＤ端子により電源供給のＯＮ／ＯＦＦを切り替える信号を受けて、スイッチが、信号により光ディスク装置へ電源供給のＯＮ／ＯＦＦを切り替える。【選択図】図１
2011222071.tif 000002
【特許請求の範囲】
【請求項１】
ＳＡＴＡ（Serial Advanced Technology Attachment）インタフェースにより、ホストコンピュータと接続されるハイブリッド周辺機器システムにおいて、
前記ホストコンピュータとハイブリッド周辺機器システム内の周辺機器を接続するポート多重化ＩＣと、
光ディスク装置と、
前記光ディスク装置への電源供給のＯＮ／ＯＦＦを切り替えるスイッチとを有し、
前記ポート多重化ＩＣと前記スイッチは、前記ホストコンピュータからＭＤ（Manufacturing Diagnostic）端子により、前記光ディスク装置への電源供給のＯＮ／ＯＦＦを切り替える信号を受け、
前記スイッチは、前記信号により、前記光ディスク装置への電源供給のＯＮ／ＯＦＦを切り替えることを特徴とするハイブリッド周辺機器システム。
【請求項２】
前記ポート多重化ＩＣは、前記光ディスク装置からのＥｊｅｃｔ信号を受けて、前記スイッチに前記光ディスク装置への電源供給をＯＮにする信号を入力し、
前記スイッチは、前記信号により前記光ディスク装置への電源供給をＯＮにすることを特徴とする請求項１記載のハイブリッド周辺機器システム。
【請求項３】
ＳＡＴＡ（Serial Advanced Technology Attachment）インタフェースにより、ホストコンピュータと接続されるハイブリッド周辺機器システムにおいて、
前記ホストコンピュータとハイブリッド周辺機器システム内の周辺機器を接続するポート多重化ＩＣと、
光ディスク装置とを有し、
前記ポート多重化ＩＣと前記光ディスク装置は、前記ホストコンピュータからＭＤ（Manufacturing Diagnostic）端子により、前記光ディスク装置の内部回路への電源供給のＯＮ／ＯＦＦを切り替える信号を受け、
前記光ディスク装置は、電圧切換部と前記電圧切換部に接続される回路とを備え、
前記電圧切換部は、前記信号により、前記電圧切換部への電源供給のＯＮ／ＯＦＦを切り替えることを特徴とするハイブリッド周辺機器システム。
【請求項４】
前記ポート多重化ＩＣは、前記光ディスク装置からのＥｊｅｃｔ信号を受けて、前記スイッチに前記電圧切換部への電源供給をＯＮにする信号を入力し、
前記電圧切換部は、前記信号により、前記電圧切換部への電源供給をＯＮにすることを特徴とする請求項３記載のハイブリッド周辺機器システム。
【請求項５】
ＳＡＴＡ（Serial Advanced Technology Attachment）インタフェースにより、ホストコンピュータと接続されるハイブリッド周辺機器システムにおいて、
前記ホストコンピュータとハイブリッド周辺機器システム内の周辺機器を接続するポート多重化ＩＣと、
光ディスク装置と、
前記光ディスク装置への電源供給のＯＮ／ＯＦＦを切り替えるスイッチとを有し、
前記ポート多重化ＩＣと前記スイッチは、前記ホストコンピュータから前記光ディスク装置への電源供給のＯＮ／ＯＦＦを切り替える第一の信号を受け、
前記スイッチは、前記第一の信号により、前記光ディスク装置への電源供給のＯＮ／ＯＦＦを切り替え、
前記ポート多重化ＩＣは、前記光ディスク装置からのＥｊｅｃｔ信号を受けて、前記スイッチに前記光ディスク装置への電源供給をＯＮにする第二の信号を入力し、
前記スイッチは、前記第二の信号により、前記光ディスク装置への電源供給をＯＮにすることを特徴とするハイブリッド周辺機器システム。
【請求項６】
ＳＡＴＡ（Serial Advanced Technology Attachment）インタフェースにより、ホストコンピュータと接続されるハイブリッド周辺機器システムにおいて、
前記ホストコンピュータとハイブリッド周辺機器システム内の周辺機器を接続するポート多重化ＩＣと、
光ディスク装置とを有し、
前記ポート多重化ＩＣと前記光ディスク装置は、前記ホストコンピュータから前記光ディスク装置の内部回路への電源供給のＯＮ／ＯＦＦを切り替える第一の信号を受け、
前記光ディスク装置は、電圧切換部と前記電圧切換部に接続される回路とを備え、
前記電圧切換部は、前記第一の信号により、前記電圧切換部への電源供給のＯＮ／ＯＦＦを切り替え、
前記ポート多重化ＩＣは、前記光ディスク装置からのＥｊｅｃｔ信号を受けて、前記スイッチに前記電圧切換部への電源供給をＯＮにする第二の信号を入力し、
前記電圧切換部は、前記第二の信号により前記電圧切換部への電源供給をＯＮにすることを特徴とするハイブリッド周辺機器システム。
【発明の詳細な説明】
【技術分野】
【０００１】
本発明は、ハイブリッド周辺機器システムに係り、特に、ノートパソコンにＳＡＴＡインタフェースにより接続され、システム内部の周辺機器である光ディスク装置の電源を制御して消費電力を低減するのに好適なハイブリッド周辺機器システムに関する。
【背景技術】
【０００２】
携帯が可能なノートパソコンなどでは、持ち歩いた場合には、通常、電源としてバッテリー（充電池）を使用するためいかに長時間使用できるようにするかが技術的な課題となる。
【０００３】
特に、光ディスク装置などの周辺機器が使用されていないとき、すなわち、光ディスク装置などの周辺機器のＳＬＥＥＰ動作時に消費電力を抑えれば、機能を落とすことなく、消費電力を節減することができる。
【０００４】
また、特許文献１には、ハードディスクドライブのアイドル状態を検出したときに、制御ＬＳＩがハードディスクドライブの電源供給を遮断する技術が開示されている。
【０００５】
一方、ＳＡＴＡ（Serial Advanced Technology Attachment）の規格には、一つのポートで、複数のデバイスを接続するＰｏｒｔ  Ｍｕｌｔｉｐｌｉｅｒ機能がある。
【０００６】
以下、図８を用いてＳＡＴＡのＰｏｒｔ  Ｍｕｌｔｉｐｌｉｅｒ機能を利用したシステムについて説明する。
図８は、ＳＡＴＡのＰｏｒｔ  Ｍｕｌｔｉｐｌｉｅｒ機能を利用したシステム構成図である。
【０００７】
ＳＡＴＡのＰｏｒｔ  Ｍｕｌｔｉｐｌｉｅｒ機能を利用したシステム１（以下、「ハイブリッド周辺機器システム」という）には、ＰｏｒｔＭｕｌｔｉｐｌｉｅｒ  ＩＣ（ポート多重化ＩＣ）２にＳＳＤ３（Solid State Drive）（ＨＤＤなどでもよい）と、光ディスク装置４が接続されており、Ｎｏｔｅ  ＰＣ０（ホストコンピュータ）から、ポート５を介して、データ信号、制御信号と、５Ｖの電源供給を受けるようになっている。
【先行技術文献】
【特許文献】
【０００８】
【特許文献１】特開２００９−１５７５２号公報
【発明の概要】
【発明が解決しようとする課題】
【０００９】
上記のＰｏｒｔ  Ｍｕｌｔｉｐｌｉｅｒ機能を利用したシステムは、一つのＳＡＴＡのポートにより、複数のデバイスを接続できるというメリットがある。しかしながら、上記のように、Ｐｏｒｔ  Ｍｕｌｔｉｐｌｉｅｒ機能を利用して、ＨＤＤやＳＳＤと、光ディスク装置を含む周辺機器のシステムを構成した場合に、５Ｖ電源ラインは、一系統であるため、光ディスク装置がＳＬＥＥＰ動作時であっても、 ＨＤＤやＳＳＤが動作中であることがあるため、光ディスク装置のＳＬＥＥＰ時の電流を低減するために、５Ｖの電源ラインを単純に遮断するという方法は使用することができない。
【００１０】
本発明は、上記問題点を解決するためになされたもので、その目的は、ＳＡＴＡ規格のＰｏｒｔ  Ｍｕｌｔｉｐｌｉｅｒ機能を利用して、光ディスク装置を含む周辺機器のシステムを構成した場合に、光ディスク装置の電源供給のみを単独で制御可能にして、消費電力を低減することができる周辺機器のシステムを提供することにある。
【課題を解決するための手段】
【００１１】
本発明のハイブリッド周辺機器システムは、ホストコンピュータと接続されるＳＡＴＡインタフェースにより、接続されており、ホストコンピュータとハイブリッド周辺機器システム内のＳＳＤや光ディスク装置などの周辺機器は、ポート多重化ＩＣにより接続されているものである。システム内には、光ディスク装置への電源供給のＯＮ／ＯＦＦを切り替えるスイッチがあり、ポート多重化ＩＣとスイッチは、ホストコンピュータからＭＤ端子により電源供給のＯＮ／ＯＦＦを切り替える信号を受けて、スイッチが、信号により電源供給のＯＮ／ＯＦＦを切り替えるようにする。
【００１２】
また、ポート多重化ＩＣは、光ディスク装置からのＥｊｅｃｔ信号を受けて、スイッチに電源供給をＯＮにする信号を入力し、光ディスク装置の電源供給をＯＮにするようにしてもよい。
【００１３】
さらに、別の構成としては、光ディスク装置内に、電圧切換部と電圧切換部に接続される回路とを設ける。そして、ポート多重化ＩＣと光ディスク装置が、ホストコンピュータからＭＤ端子により電源供給のＯＮ／ＯＦＦを切り替える信号を受けて、電圧切換部が、信号により前記電圧切換部への電源供給のＯＮ／ＯＦＦを切り替えるようにする。
【発明の効果】
【００１４】
本発明によれば、ＳＡＴＡ規格のＰｏｒｔ  Ｍｕｌｔｉｐｌｉｅｒ機能を利用して、光ディスク装置を含む周辺機器のシステムを構成した場合に、光ディスク装置の電源供給のみを単独で制御可能にして、消費電力を低減することができる周辺機器のシステムを提供することができる。
【図面の簡単な説明】
【００１５】
【図１】本発明の第一の実施形態に係るハイブリッド周辺機器システムのシステム構成図である。
【図２】本発明の第二の実施形態に係るハイブリッド周辺機器システムのシステム構成図である。
【図３】本発明の第二の実施形態に係るハイブリッド周辺機器システムの内部の光ディスク装置４の構成を示すブロック図である。
【図４】本発明の第三の実施形態に係るハイブリッド周辺機器システムのシステム構成図である。
【図５】本発明の第四の実施形態に係るハイブリッド周辺機器システムのシステム構成図である。
【図６】本発明の第五の実施形態に係るハイブリッド周辺機器システムのシステム構成図である。
【図７】本発明の第六の実施形態に係るハイブリッド周辺機器システムのシステム構成図である。
【図８】ＳＡＴＡのＰｏｒｔ  Ｍｕｌｔｉｐｌｉｅｒ機能を利用したシステム構成図である。
【発明を実施するための形態】
【００１６】
以下、図１ないし図７を用いて本発明に係る各実施形態を説明する。
【００１７】
〔実施形態１〕
以下、図１を用いて本発明の第一の実施形態を説明する。
図１は、本発明の第一の実施形態に係るハイブリッド周辺機器システムのシステム構成図である。
【００１８】
ハイブリッド周辺機器システム１は、Ｐｏｒｔ  Ｍｕｌｔｉｐｌｉｅｒ  ＩＣ２にＳＳＤ３（Solid State Drive）（Ｏｒ  ＨＤＤ（Hard Disk Drive））と、光ディスク装置４が接続されており、Ｎｏｔｅ  ＰＣ０（ホストコンピュータ）から、ポート５を介して、ＳＡＴＡ信号と、５Ｖの電源供給を受けるようになっている。
【００１９】
また、Ｎｏｔｅ  ＰＣ０と、Ｐｏｒｔ  Ｍｕｌｔｉｐｌｉｅｒ  ＩＣ２は、ＭＤ（Manufacturing Diagnostic）端子により接続されており、ＣＳ（Chip Select）信号を受けて、５Ｖの電源系統のＯＮ／ＯＦＦを、スイッチ６により、制御できるようになっている。
【００２０】
このＭＤ端子は、ＳＡＴＡ規格により、ベンダが自由に使ってよいと定められている端子であり、主に、デバイスのテストなどに用いられている端子である。
【００２１】
また、Ｐｕｌｌｕｐ抵抗７１は、Ｎｏｔｅ  ＰＣ０が、ＭＤ端子による電源制御の機能を持たないときに、ＣＳ信号が不定にならないように入れた抵抗である。
【００２２】
ここで、光ディスク装置４の電源がＯＦＦにされたことを、Ｐｏｒｔ  Ｍｕｌｔｉｐｌｉｅｒ  ＩＣ２も認識する必要があるので、このＩＣにもＭＤ端子から信号を入力する。
【００２３】
〔実施形態２〕
以下、図２および図３を用いて本発明の第二の実施形態を説明する。
図２は、本発明の第二の実施形態に係るハイブリッド周辺機器システムのシステム構成図である。
図３は、本発明の第二の実施形態に係るハイブリッド周辺機器システムの内部の光ディスク装置４の構成を示すブロック図である。
【００２４】
第一の実施形態では、スイッチ６により光ディスク装置４に供給される５Ｖ電源を完全に遮断したが、本実施形態では、ＣＳ信号を直接、光ディスク装置４に入力して、内部の回路の一部のみに対する電源供給を、ＯＦＦに制御できるようにするものである。
【００２５】
本実施形態では、ＭＤ端子からのＣＳ信号は、光ディスク装置４に入力される。 ＭＤ端子と、電源端子は、ＤＣ−ＤＣコンバータ４１に接続されており、ＭＤ端子からのラインと、電源端子からのラインは、Ｐｕｌｌｕｐ抵抗４３により接続されている。これは、ＣＳ信号からのラインの信号の安定性を保つためである。また、電源端子からのラインは、分岐してＤＣ−ＤＣコンバータ４１以外の回路にも電源を供給している。
【００２６】
ＤＣ−ＤＣコンバータ（電圧切換部）４１は、５Ｖ電源を入力して、３．３Ｖ電圧と、１．２Ｖ電圧を生成して、ＤＳＰ４２（Digital Signal Processor）に供給する。ここで、１．２Ｖ電圧は、ＤＳＰ４２のコアの動作のために供給される電圧であり、３．３Ｖ電圧の電圧は、ＤＳＰ４２のインタフェース部に供給される電圧である。なお、この電圧変換のために、レギュレータを用いてもよい。
【００２７】
そして、Ｎｏｔｅ  ＰＣ０側では、Ｐｏｒｔ  Ｍｕｌｔｉｐｌｉｅｒ  ＩＣ２より、光ディスク装置４の状態報告を受け、ＳＬＥＥＰモード動作時のときには、ＣＳ信号を、“Ｌ”（Ｌｏｗ）にして、ＤＣ−ＤＣコンバータ４１の出力電圧をＯＦＦにする。このとき、分岐した５Ｖの電源ラインから電源供給を受ける他の部分の回路には影響はない。
【００２８】
また、起動時のときには、Ｎｏｔｅ  ＰＣ０側では、Ｐｏｒｔ  Ｍｕｌｔｉｐｌｉｅｒ  ＩＣ２より、光ディスク装置４の状態報告を受け、ＣＳ信号を、“Ｈ”（Ｈｉｇｈ）にして、ＤＣ−ＤＣコンバータ４１の出力電圧をＯＮにする。ここで、ＳＬＥＥＰモードから復帰するためには、ＤＳＰ４２の電源が切られているために、装置全体を完全にＲＥＳＥＴして、Ｎｏｔｅ  ＰＣ０側で、ＳＡＴＡの復帰処理をおこない、再度、ドライブをＭｏｕｎtする必要がある。
【００２９】
ＤＳＰ４２は、光ディスク装置４でも特に電力を消費する部分であるだけに、 ＳＬＥＥＰモード動作時のときに、この回路の省電力をおこなうのは有効である。
【００３０】
〔実施形態３〕
以下、図４を用いて本発明の第三の実施形態を説明する。
図４は、本発明の第三の実施形態に係るハイブリッド周辺機器システムのシステム構成図である。
【００３１】
本実施形態は、第一の実施形態と同様に、Ｐｏｒｔ  Ｍｕｌｔｉｐｌｉｅｒ  ＩＣ２が、光ディスク装置４に供給される５Ｖ電源のＯＮ／ＯＦＦを切り替えるスイッチ６を制御するものであるが、光ディスク装置４からのＥｊｅｃｔ（ディスク取り出し）動作を検知して、電源操作をおこなうことが異なっている。
【００３２】
光ディスク装置３のＥｊｅｃｔスイッチが押されたときには、光ディスク装置は、Ｅｊｅｃｔ動作をおこなうが、Ｐｏｒｔ  Ｍｕｌｔｉｐｌｉｅｒ  ＩＣ２は、光ディスク装置３のＥｊｅｃｔ信号を監視し、Ｅｊｅｃｔ信号を受けたときには、ＣＳ信号により、スイッチ６の電源をＯＮにして、光ディスク装置４に５Ｖ電圧を供給する。
【００３３】
なお、本実施形態では、電圧を安定させるために、Ｅｊｅｃｔ信号のラインと５Ｖの電源ラインの間にＰｕｌｌｕｐ抵抗７２が、ＣＳ信号のラインと５Ｖの電源ラインの間にＰｕｌｌｕｐ抵抗７３が入っている。
【００３４】
また、Ｐｏｒｔ  Ｍｕｌｔｉｐｌｉｅｒ  ＩＣ２は、Ｎｏｔｅ  ＰＣ０からのＭＤ端子による信号に依らず、光ディスク装置４の状態を監視し、ＣＳ信号により、スイッチ６の電源のＯＮ／ＯＦＦを切り替えて、光ディスク装置４への供給電圧を制御する。この場合には、Ｐｏｒｔ  Ｍｕｌｔｉｐｌｉｅｒ  ＩＣ２は、光ディスク装置４に代わり、Ｎｏｔｅ  ＰＣ０からのＧＥＳＮ（Get Event Status Notification：デバイスの状態を得るためのコマンド）などのコマンドに応答する必要がある。
【００３５】
〔実施形態４〕
以下、図５を用いて本発明の第四の実施形態を説明する。
図５は、本発明の第四の実施形態に係るハイブリッド周辺機器システムのシステム構成図である。
【００３６】
本実施形態は、第三の実施形態と同様に、光ディスク装置４からのＥｊｅｃｔ（ディスク取り出し）動作を検知して、電源操作をおこなうことは、同様であるがスイッチにより５Ｖ電源のＯＮ／ＯＦＦをおこなうのではなく、第二の実施形態のように、ＣＳ信号により、光ディスク装置４の内部の回路のＯＮ／ＯＦＦをおこなうものである。
【００３７】
光ディスク装置４の内部の構成と動作は、第二の実施形態の図３に示したもの同様である。
【００３８】
本実施形態では、電圧を安定させるために、ＣＳ信号のラインと５Ｖの電源ラインの間にＰｕｌｌｕｐ抵抗７４が入っている。
【００３９】
〔実施形態５〕
以下、図６を用いて本発明の第五の実施形態を説明する。
図６は、本発明の第五の実施形態に係るハイブリッド周辺機器システムのシステム構成図である。
【００４０】
これまでの実施形態は、Ｐｏｒｔ  Ｍｕｌｔｉｐｌｉｅｒ  ＩＣ２と、Ｎｏｔｅ  ＰＣ０をＭＤ端子により接続して、Ｎｏｔｅ  ＰＣ０の指示により、Ｐｏｒｔ  Ｍｕｌｔｉｐｌｉｅｒ  ＩＣ２が光ディスク装置４の電源供給を制御したが、本実施形態では、Ｐｏｒｔ  Ｍｕｌｔｉｐｌｉｅｒ  ＩＣ２と、Ｎｏｔｅ  ＰＣ０をＭＤ端子で接続せずに、Ｐｏｒｔ  Ｍｕｌｔｉｐｌｉｅｒ  ＩＣ２が単独で制御する例である。
【００４１】
Ｐｏｒｔ  Ｍｕｌｔｉｐｌｉｅｒ  ＩＣ２が、光ディスク装置３のＥｊｅｃｔ信号を監視し、Ｅｊｅｃｔ信号を受けたときには、ＣＳ信号により、スイッチ６の電源をＯＮにする所は、第三の実施形態と同様である。
【００４２】
また、Ｐｏｒｔ  Ｍｕｌｔｉｐｌｉｅｒ  ＩＣ２は、Ｎｏｔｅ  ＰＣ０からのＭＤ端子による信号に光ディスク装置４の状態を監視し、ＣＳ信号により、スイッチ６の電源のＯＮ／ＯＦＦを切り替えて、光ディスク装置４への供給電圧を制御することも、第三の実施形態と同様である。
【００４３】
〔実施形態６〕
以下、図７を用いて本発明の第六の実施形態を説明する。
図７は、本発明の第六の実施形態に係るハイブリッド周辺機器システムのシステム構成図である。
【００４４】
本実施形態は、第五の実施形態と同様、Ｐｏｒｔ  Ｍｕｌｔｉｐｌｉｅｒ  ＩＣ２と、Ｎｏｔｅ  ＰＣ０をＭＤ端子で接続せずに、Ｐｏｒｔ  Ｍｕｌｔｉｐｌｉｅｒ  ＩＣ２が単独で制御する例である。本実施形態では、第四の実施形態と同様に、スイッチにより５Ｖ電源のＯＮ／ＯＦＦをおこなうのではなく、第二の実施形態のように、ＣＳ信号により、光ディスク装置４の内部の回路のＯＮ／ＯＦＦをおこなう。
【００４５】
また、光ディスク装置４の内部の構成と動作は、第二の実施形態の図３に示したもの同様である。
【符号の説明】
【００４６】
０…ホストコンピュータ、１…ハイブリッド周辺機器システム、２…Ｐｏｒｔ  Ｍｕｌｔｉｐｌｉｅｒ  ＩＣ、３…ＳＳＤ（Ｏｒ  ＨＤＤ）、４…光ディスク装置、４１…ＤＣ−ＤＣコンバータ、４２…ＤＳＰ、４３…Ｐｕｌｌｕｐ抵抗、５…ポート、６…スイッチ、７１，７２，７３，７４…Ｐｕｌｌｕｐ抵抗。
【図１】
2011222071.tif 000003
【図２】
2011222071.tif 000004
【図３】
2011222071.tif 000005
【図４】
2011222071.tif 000006
【図５】
2011222071.tif 000007
【図６】
2011222071.tif 000008
【図７】
2011222071.tif 000009
【図８】
2011222071.tif 000010